(57)【特許請求の範囲】
【請求項１】
シャッタ地板の一方の側において回転可能に配置されておりシャッタ地板の個別の長孔に貫通させた駆動ピンを各々有している二つの駆動部材と、シャッタ地板の他方側において回転可能に配置された複数のアームとそれらの長さ方向に順に枢支された複数枚の羽根とで構成されており露光作動時には各々のアームの一つが前記駆動ピンによって直接回転させられる二つの羽根群と、少なくとも前記長孔の一方に取り付けられており露光作動の終了時において前記駆動ピンが当接したとき圧縮して該駆動ピンを停止させるようにした当接部を有する弾性材料からなる緩衝部材と、を備えており、前記緩衝部材には、前記駆動ピンの作動軌跡内に臨んでいて前記駆動ピンが前記当接部に当接する直前に該駆動ピンによって作動軌跡外へ押される被押動部が設けられ、且つシャッタ地板には、前記被押動部が前記駆動ピンに押された後に接触する抑止部が設けられていて、前記被押動部は、前記駆動ピンによって押されたとき、当初は曲げ荷重により弾性変形させられ、前記抑止部に抑止されてからは圧縮荷重により弾性変形させられて、夫々前記駆動ピンに制動力を与え、前記駆動ピンが前記当接部に当接した時点では復元していて、前記駆動ピンのバウンドを阻止し得るようにしたことを特徴とするカメラ用フォーカルプレンシャッタ。
【請求項２】
前記抑止部が、シャッタ地板面に設けられていて、前記被押動部を抑止する面が、前記被押動部の抑止される面の形状に合わせて形成されていることを特徴とする請求項１に記載のカメラ用フォーカルプレンシャッタ。
【請求項３】
前記抑止部が、前記長孔の端面であって、前記被押動部には、シャッタ地板面に略垂直な突起部を、前記端面に抑止され得るようにして形成していることを特徴とする請求項１に記載のカメラ用フォーカルプレンシャッタ。
【請求項４】
前記突起部が、前記駆動ピンによって直接押され、前記被押動部は、原則として前記突起部のみが圧縮荷重によって弾性変形されるようにしたことを特徴とする請求項３に記載のカメラ用フォーカルプレンシャッタ。
【請求項５】
前記被押動部のシャッタ地板面側に前記突起部とは異なる他の突起部が形成されていて、露光作動の終了段階で前記駆動ピンが前記被押動部を押したとき、前記被押動部に対して所期の方向とは異なる方向へ変形させるような力が作用しても、その突起部が、シャッタ地板に設けられた規制部に接触し、前記の所期の方向とは異なる方向へ変形させるような力によって前記被押動部が変形させられるのを防止するようにしたことを特徴とする請求項１乃至４の何れかに記載のカメラ用フォーカルプレンシャッタ。
【請求項６】
前記被押動部が前記駆動ピンによって押されるとき以外は、前記他の突起部が前記規制部に接触していることを特徴とする請求項５に記載のカメラ用フォーカルプレンシャッタ。
【発明の詳細な説明】
【０００１】
【発明の属する技術分野】
本発明は、撮影に際して、先羽根群と後羽根群とを同一方向へ順次作動させ、両方の羽根群のスリット形成羽根によって形成されたスリットにより、露光を行うようにしたカメラ用のフォーカルプレンシャッタに関する。
【０００２】
【従来の技術】
最近のフォーカルプレンシャッタは、その殆どのものが、シャッタ地板と補助地板（カバー板ともいう）の間を中間板で仕切ることによって二つの羽根室を構成し、それらの羽根室に先羽根群と後羽根群を配置するようにしており、撮影に際しては、両方の羽根群のスリット形成羽根の間で、露光用のスリットを形成するようにしている。また、両方の羽根群は略同じ構成をしており、基本的には、露光開口の一方の側方位置で一方の地板に枢着されている二つのアームと、横長形状をしていて二つずつの連結軸によって上記の二つのアームの長さ方向に順に枢支された複数枚の羽根とで構成されており、それらの複数枚の羽根のうち、アームの最先端に枢支された羽根をスリット形成羽根としている。また、例外的には、アームを三つ以上にしたものも知られているが、その場合であっても、１枚の羽根は、それらのうちの二つのアームに対して枢支されるようにしている。
【０００３】
また、このような構成の先羽根群と後羽根群は、先羽根用駆動部材と後羽根用駆動部材によって作動させられようになっている。そして、それらの各駆動部材は、シャッタ地板の表面側（被写体側）に配置されており、通常は、シャッタ地板に対して回転可能に取り付けられているが、例外的には補助地板に対して取り付けられた構成も提案されている。また、各駆動部材と各羽根群とは、各駆動部材に設けられた駆動ピンと各羽根群の一つのアームとで連結されているが、その場合には、各駆動部材の駆動ピンを、シャッタ地板に形成された夫々の長孔に挿入し、羽根室内で連結されている。
【０００４】
そして、このような構成のフォーカルプレンシャッタは、露光作動時には、各駆動部材が、夫々の駆動ばねの強力な付勢力によって回転され、各羽根群を高速で走行させることになるが、露光作動の終了時には、その駆動ピンを、上記した長孔の一端に当接させて停止されるようにしているのが普通である。ところが、その当接時の衝撃が極めて大きいと、駆動ピン（即ち駆動部材）がバウンドさせられ、それによって羽根群もバウンドさせられてしまって、スリット形成羽根のスリット形成縁を一時的に露光開口内に進入させてしまうことがある。そのため、従来から、そのような現象を阻止するために、駆動部材と羽根群に対して種々のバウンド防止対策が講じられているが、本発明は、そのうち、駆動部材に対してのバウンド防止構成に関するものである。
【０００５】
駆動部材のバウンドを防止する場合には、露光作動の終了段階で、駆動ピンが上記した長孔の一端に当接する前に、駆動部材の回転に制動力を加えておき、それでもなおバウンドしてくるのを阻止できるようにするのが好ましい。そのような観点から提案されている典型的な例としては、特開昭５８−１９６５２７号公報などに記載されているように、ばねによって回転力を与えられた部材を用いるものと、実公平６−１０３５０号公報などに記載されているように、シャッタ地板の一部に可撓性を与えた部位を形成し、駆動ピンにその部位を撓ませるようにしたものと、特開平１０−１６１１８１号公報などに記載されているように、駆動ピンが当接して停止させられようするために、上記の長孔の一端に取り付けられている緩衝部材にそれらの機能を有する部位を設けるようにしたものとがある。本発明は、それらのうち、最後のタイプに属するものである。
【０００６】
【発明が解決しようとする課題】
ところで、上記の特開平１０−１６１１８１号公報に記載の第４実施例によれば、駆動ピン（公報では作動ピン）２ａは、緩衝部材１８に正面衝突する前に、角部１８ａ，１８ｂによって制動され、また、その正面衝突によってバウンドすると、それらの角部１８ａ，１８ｂによって抑止されるようになっている。しかしながら、その制動作用は、角部１８ａ，１８ｂの僅かな圧縮荷重による弾性変形（以下、圧縮変形という）だけを利用しているので、シャッタの仕様によっては、必ずしも十分に制動力が得られるというものではない。
【０００７】
また、同じタイプに属するものとして実用新案登録第２５７６７８０号公報に記載された図４の実施例がある。即ち、その実施例においては、弾性部材（緩衝部材）８の形状部８ｄが、駆動ピン５の通過に対して抵抗力を及ぼして駆動ピンのはね返りを防止する旨の記載がある。しかし、その形状部８ｄは、挟持部８ａ，８ｂの一部を溝部（長孔）２にせり出して形成されているものであるという記載はあるが、図３に示された実施例における内壁部９ｄと同じような内壁部が、その形状部８ｄのところにも存在していて、溝部２の端面に接触しているという明確な記載はなく、具体的な構成が不明瞭である。
【０００８】
そこで、もしも、形状部８ｄのところに上記の内壁部が存在すると仮定した場合には、形状が若干異なるとはいうものの、上記した特開平１０−１６１１８１号公報に記載の第４実施例の場合と作用効果が実質的に同じであって、シャッタによっては、制動力が必ずしも十分とはいえない場合がある。他方、もしも、上記の内壁部が存在しないと仮定した場合には、形状部８ｄには、曲げ荷重による弾性変形（以下、曲げ変形という）によって制動することになる。従って、この場合には、圧縮変形を利用せず、曲げ変形のみで制動しているので、場合によっては、やはり、満足した制動力が得られない。
【０００９】
本発明は、このような問題点を解決するためになされたものであり、その目的とするところは、シャッタ地板の長孔の長手方向の一端に取り付けられている弾性材料からなる緩衝部材に、駆動部材の駆動ピンの作動軌跡内に臨ませた被押動部を形成し、その被押動部は、露光作動の終了段階において駆動ピンによって押されたとき、曲げ変形と圧縮変形の２段階で駆動部材を制動し、駆動ピンが、緩衝部材の当接部に当接した時点では復元して、駆動ピンのバウンドを阻止し得るようにしたカメラ用フォーカルプレンシャッタを提供することである。
【００１０】
【課題を解決するための手段】
上記の目的を達成するために、本発明のカメラ用フォーカルプレンシャッタは、シャッタ地板の一方の側において回転可能に配置されておりシャッタ地板の個別の長孔に貫通させた駆動ピンを各々有している二つの駆動部材と、シャッタ地板の他方側において回転可能に配置された複数のアームとそれらの長さ方向に順に枢支された複数枚の羽根とで構成されており露光作動時には各々のアームの一つが前記駆動ピンによって直接回転させられる二つの羽根群と、少なくとも前記長孔の一方に取り付けられており露光作動の終了時において前記駆動ピンが当接したとき圧縮して該駆動ピンを停止させるようにした当接部を有する弾性材料からなる緩衝部材と、を備えており、前記緩衝部材には、前記駆動ピンの作動軌跡内に臨んでいて前記駆動ピンが前記当接部に当接する直前に該駆動ピンによって作動軌跡外へ押される被押動部が設けられ、且つシャッタ地板には、前記被押動部が前記駆動ピンに押された後に接触する抑止部が設けられていて、前記被押動部は、前記駆動ピンによって押されたとき、当初は曲げ荷重により弾性変形させられ、前記抑止部に抑止されてからは圧縮荷重により弾性変形させられて、夫々前記駆動ピンに制動力を与え、前記駆動ピンが前記当接部に当接した時点では復元していて、前記駆動ピンのバウンドを阻止し得るようにする。
また、本発明のカメラ用フォーカルプレンシャッタにおいては、前記抑止部が、シャッタ地板面に設けられていて、前記被押動部を抑止する面が、前記被押動部の抑止される面の形状に合わせて形成されているようにした場合、制動効果もバウンド防止効果も安定して得ることが可能になる。
また、前記抑止部が、前記長孔の端面であって、前記被押動部には、シャッタ地板面に略垂直な突起部を、前記端面に抑止され得るようにして形成しているようにしてもよく、そのようにした場合には、シャッタ地板は従来通りの形状でよいという利点がある。
その場合、前記突起部が、前記駆動ピンによって直接押され、前記被押動部は、原則として前記突起部のみが圧縮荷重によって弾性変形されるようにすると、耐久性の点で有利になる。
更に、本発明のカメラ用フォーカルプレンシャッタにおいては、前記被押動部のシャッタ地板面側に前記突起部とは異なる他の突起部が形成されていて、露光作動の終了段階で前記駆動ピンが前記被押動部を押したとき、前記被押動部に対して所期の方向とは異なる方向へ変形させるような力が作用しても、その突起部が、シャッタ地板に設けられた規制部に接触し、前記の所期の方向とは異なる方向へ変形させるような力によって前記被押動部が変形させられるのを防止するようにすると、緩衝部材の耐久性が向上するうえに制動効果も比較的安定して得られるようになる。
その場合、前記被押動部が前記駆動ピンによって押されるとき以外は、前記他の突起部が前記規制部に接触しているようにすると、前記被押動部の位置決めがより確実になり、耐久性が向上するのはもとより、制動効果とバウンド防止効果が一段と安定して得られるようになる。
【００１１】
【発明の実施の形態】
本発明の実施の形態を、図示した三つの実施例によって説明する。尚、図１〜図５は、第１実施例を説明するためのものであり、図６〜図１０は、第２実施例を説明するためのものであり、図１１〜図１５は、第３実施例を説明するためのものである。また、第２実施例と第３実施例の各図面においては、第１実施例の図面に記載されたものと同じ部材、部位に同じ符号を付けている。従って、第２実施例と第３実施例の説明においては、重複を避けるために、それらの部材、部位についての説明は省略する。
【００１２】
［第１実施例］
先ず、第１実施例の構成を説明する。図１は、被写体側から視てシャッタのセット状態を示した平面図である。シャッタ地板１は、合成樹脂製であって、略中央部には開口部１ａが形成されており、その左側の位置には円弧状をした長孔１ｂ，１ｃが形成されている。また、シャッタ地板１には、軸１ｄ，１ｅが設けられているが、それらは、シャッタ地板１の両面に立設されている。更に、シャッタ地板１の表面側、即ち被写体側には、円弧状の肉厚部として抑止部１ｆ，１ｇが形成されている。また、シャッタ地板１の背面側には、軸１ｈ，１ｉが立設されている。
【００１３】
シャッタ地板１の表面側において、軸１ｄには、先羽根用駆動部材２が回転可能に取り付けられおり、軸１ｅには、後羽根用駆動部材３が回転可能に取り付けられている。そして、それらの駆動部材２，３の背面側には、セット作動時に、図示していない周知のセット部材によって押される被押動部２ａ，３ａと、シャッタ地板１の長孔１ｂ，１ｃを貫通してシャッタ地板１の背面側に突き出ている駆動ピン２ｂ，３ｃが設けられている。また、これらの駆動部材２，３は、図示していない先羽根用駆動ばねと後羽根用駆動ばねによって、夫々、反時計方向へ付勢されているが、セット状態においては、周知の手段によって、この状態が維持されている。
【００１４】
上記の長孔の上端部には、ブチルゴムなどの弾性材料からなる緩衝部材４，５が取り付けられている。そして、それらの緩衝部材４，５は、夫々、当接部４ａ，５ａと被押動部４ｂ，５ｂを有しているが、その形状と、シャッタ地板１への取付け方は全く同じであるため、図２を用いて緩衝部材４の場合で、より具体的に説明する。先ず、長孔１ｂの上端部は、半月状にえぐられており、下端部よりも半径の大きな円弧状の周縁部１ｂ1と、その周縁部１ｂ1の両端に肩部１ｂ2が形成されている。
【００１５】
また、緩衝部材４の当接部４ａは、上記の周縁部１ｂ1の端面に接触するようになっていて、シャッタ地板１の表面と背面に張り出した二つの同形のフランジ部４ｃ，４ｄによって周縁部１ｂ1を挟んでおり、しかも、その一方のフランジ部４ｃを円弧状に延伸することによって、一部を駆動ピン２ｂの作動軌跡内に臨ませた被押動部４ｂを形成している。そして、緩衝部材４は、変形させられることによって長孔１ｂの上端部に取り付けられ、その回転を肩部１ｂ2によって規制されている。また、常態においては、被押動部４ｂは、抑止部１ｆに接触していない。
【００１６】
次に、図１において、シャッタ地板１の背面側の構成を説明するが、本実施例の場合、その構成は周知の構成と全く変わらない。そのため、それらの構成については簡単に説明することにする。先ず、その背面側の全体構成を説明する。シャッタ地板１の背面側には、夫々、所定の間隔を空けて図示していない中間板と補助地板とが取り付けられていて、シャッタ地板１と中間板との間が先羽根群の羽根室となり、中間板と補助地板との間が後羽根群の羽根室となっている。また、それらの中間板と補助地板にも、略中央部に開口部１ａと似た形状の開口部が形成されていて、それらの開口部を重ねて配置することにより、長方形を横長にした露光開口が形成されている。
【００１７】
そこで、次に、先羽根群の構成を説明する。先羽根群は、一端をシャッタ地板１の軸１ｄ，１ｈに回転可能に取り付けられた二つのアーム６，７と、それらの長さ方向に順に枢支された５枚の羽根８，９，１０，１１，１２とで構成されていて、最先端に枢支された羽根１２がスリット形成羽根となっている。そして、図示していないが、アーム６には孔が形成されていて、そこに、先羽根用駆動部材２の駆動ピン２ｂの先端が嵌合している。また、後羽根群は、全く図示されていないが、先羽根群と同じ構成をしていて、先羽根群を裏返したようにして配置されており、二つのアームは、その一端を、軸１ｅ，１ｉに回転可能に取り付けられ、軸１ｅに取り付けられたアームの孔には、後羽根用駆動部材３の駆動ピン３ｂが嵌合している。そして、図１は、セット状態であるから、後羽根群の複数枚の羽根は、重畳されて開口部１の下方位置に格納された状態となっている。
【００１８】
次に、本実施例の作動を説明するが、本発明に直接関係がなく且つ周知の事項については、簡単に説明することにする。図１はシャッタのセット状態を示しているものであるから、この状態においては、先羽根群の５枚の羽根８，９，１０，１１，１２は、展開されて開口部１ａを覆っており、図示していない後羽根群の５枚の羽根は、上記したように、重畳されて開口部１ａの下方位置に格納されている。
【００１９】
そこで、このような図１の状態において、カメラのレリーズボタンが押されると、先ず、図示していない手段による先羽根用駆動部材２の保持力が解かれる。そのため、先羽根用駆動部材２は、図示していない先羽根用駆動ばねの付勢力によって反時計方向へ回転し、露光作動を開始する。それによって、駆動ピン２ｂが、アーム６を反時計方向へ回転させることになるから、先羽根群の５枚の羽根８，９，１０，１１，１２を上方へ作動させていく。その結果、羽根８，９，１０，１１，１２は隣接する羽根同士の重なり量を大きくしつつ、スリット形成羽根１２のスリット形成縁によって、開口部１ａを開いていく。
【００２０】
そして、スリット形成羽根１２のスリット形成縁が、開口部１ａを全開にした段階になると、先羽根用駆動部材２の駆動ピン２ｂが、緩衝部材４の被押動部４ｂを、自己の作動軌跡外に向けて押すことになるが、図２は、その駆動ピン２ｂが被押動部４ｂに接触した瞬間を示したものである。駆動ピン２ｂは、この状態から被押動部４ｂを押すことになるが、その場合、被押動部４ｂは、先ず、曲げ変形をさせられながら駆動ピン２ｂ（即ち、駆動部材２）に制動力を与えてゆき、シャッタ地板１の抑止部１ｆに面接触した状態が図３に示されている。
【００２１】
そして、この状態になっても、駆動ピン２ｂは、なお被駆動部４ｂを押し続けているため、それ以後は、被押動部４ｂは、圧縮変形をさせられながら駆動ピン２ｂに制動力を与えてゆく。その状態が図４に示されている。そして、被押動部４ｂは、その後、駆動ピン２ｂとの接触を解かれると、自己の弾性によって原形に復帰する。他方、駆動ピン２ｂは、緩衝部材４の当接部４ａに当接して、圧縮変形させることによって衝撃力を吸収され、停止するが、このとき、バウンドが生じたとしても、被押動部４ｂの一部が、駆動ピン２ｂの作動軌跡内に臨んでいるので、そのバウンドは阻止される。そのため、スリット形成羽根１２のスリット形成縁を開口部１ａに再度一時的に進入させることなく停止した状態が、図５に示された状態である。
【００２２】
上記のような先羽根用駆動部材２の露光作動が開始にしてから所定時間が経過すると、次に、図示していない手段による後羽根用駆動部材３の保持力が解かれる。そのため、後羽根用駆動部材３は、図示していない後羽根用駆動ばねの付勢力によって反時計方向へ回転し、露光作動を開始する。それによって、駆動ピン３ｂが、図示していない後羽根群のアームを反時計方向へ回転させることになるから、後羽根群の５枚の羽根は、隣接する羽根同士の重なりを小さくしつつ上方へ作動し、スリット形成羽根のスリット形成縁によって、開口部１ａを閉じていく。
【００２３】
そして、その５枚の羽根が展開されて開口部１ａを完全に覆った段階になると、後羽根用駆動部材３の駆動ピン３ｂが、緩衝部材５の被押動部５ｂを、自己の作動軌跡外に向けて押すことになるが、その後、被押動部５ｂによって制動される過程と、当接部５ａに当接しバウンドを抑止されて停止させられる過程は、上記した先羽根用駆動部材２の場合と同じである。従って、後羽根用駆動部材３は、後羽根群のスリット形成羽根のスリット形成縁を開口部１ａに再度一時的に進入させることなく停止し、一連の露光作動が終了する。
【００２４】
このようにして、撮影が終了した後、セット作動が行なわれる。その場合には、図示していないセット部材が、先ず、先羽根用駆動部材２の被押動部２ａを押し、先羽根用駆動部材２を、図示していない先羽根用駆動ばねの付勢力に抗して時計方向ヘ回転させていく。それによって、駆動ピン２ｂが先羽根群のアーム６を時計方向ヘ回転させることになるので、先羽根群の５枚の羽根８，９，１０，１１，１２は、隣接する羽根同士の重なり量を小さくしつつ下方へ作動されていく。その後、先羽根群のスリット形成羽根１２と図示していない後羽根群のスリット形成羽根との重なり量が所定量に達すると、セット部材は、更に、後羽根用駆動部材３の被押動部３ａを押し始め、後羽根用駆動部材３を、図示していない後羽根用駆動ばねの付勢力に抗して、時計方向ヘ回転させていく。
【００２５】
従って、その後は、先羽根用駆動部材２と後羽根用駆動部材３が共にセットされて行き、先羽根群の５枚の羽根８，９，１０，１１，１２は、展開されて開口部１ａを覆っていくが、図示していない後羽根群の５枚の羽根は、重畳されて開口部１ａの下方位置へ格納されていく。そして、先羽根群の５枚の羽根８，９，１０，１１，１２が開口部１ａを完全に覆い終わり、且つ後羽根群の５枚の羽根が開口部１ａの下方位置に完全に格納された後にセット作動が終了し、図１の状態になって、次の撮影に備えることになる。
【００２６】
［第２実施例］
次に、図６〜図１０を用いて第２実施例を説明する。本実施例は、第１実施例における緩衝部材４，５の形状が異なっていて、シャッタ地板１には抑止部１ｆ，１ｇが設けられていないだけであり、その他の構成は第１実施例の場合と同じである。また、本実施例の場合も、長孔１ｂに取り付けられている緩衝部材と、長孔１ｃに取り付けられている緩衝部材とは同じ形状をしている。そこで、その相違する構成以外は、図１に示された構成が本実施例にも適用されているものとして、長孔１ｂに取り付けられている緩衝部材１４を中心にして説明することにする。
【００２７】
図６及び図１０から分かるように、長孔１ｂの上端部に取り付けられている本実施例の緩衝部材１４は、ブチルゴムなどの弾性材料からなり、当接部１４ａと被押動部１４ｂを有していて、その被駆動部材１４ｂの一部を駆動ピン２ｂの作動軌跡内に臨ませたところに、シャッタ地板面に略垂直な突起部１４ｅを設けている。そして、この突起部１４ｅは、長孔１ｂに挿入されていて、常態では、長孔１ｂの側端面に接触していない。また、シャッタ地板１に対する緩衝部材１４の取付け方は、第１実施例の場合と同じであって、シャッタ地板１の周縁部１ｂ1の端面に当接部１４ａを接触させ得るようにし、且つ二つのフランジ部１４ｃ，１４ｄによって周縁部１ｂ1を挟んでいる。
【００２８】
次に、本実施例の作動を説明する。露光作動時に、先羽根用駆動部材２が反時計方向へ回転され、先羽根群の５枚の羽根が、開口部１ａを全開にした段階になると、先羽根用駆動部材２の駆動ピン２ｂが、緩衝部材１４の被押動部１４ｂを、自己の作動軌跡外に向けて押すことになるが、図６は、そのために、駆動ピン２ｂが被押動部１４ｂの先端に設けられた突起部１４ｅに接触した瞬間を示したものである。駆動ピン２ｂは、この状態から突起部１４ｅを押すことになるが、その場合、被押動部１４ｂは、先ず、曲げ変形をさせられながら駆動ピン２ｂに制動力を与えてゆき、その後、突起部１４ｅが、長孔１ｂの側端面に接触した状態が図７に示されている。
【００２９】
そして、この状態になっても、駆動ピン２ｂは、なお突起部１４ｅを押し続けているため、それ以後は、突起部１４ｅが圧縮変形させられながら駆動ピン２ｂに制動力を与えてゆく。即ち、本実施例の場合には、長孔１ｂの側端面が、第１実施例における抑止部１ｆの役目をしていることになる。その状態が図８に示されている。そして、被押動部１４ｂは、その後、突起部１４ｅと駆動ピン２ｂとの接触が解かれると、自己の弾性によって原形に復帰し、突起部１４ｅを駆動ピン２ｂの作動軌跡内に臨ませる。
【００３０】
その後、駆動ピン２ｂは、緩衝部材１４の当接部１４ａに当接し、圧縮変形させることによって衝撃力を吸収され、停止するが、このとき、バウンドが生じたとしても、突起部１４ｅによって、そのバウンドが阻止される。そして、先羽根用駆動部材２の完全に停止した状態が、図９に示された状態である。他方、先羽根用駆動部材２が露光作動を開始してから所定時間が経過すると、後羽根用駆動部材３が露光作動を開始するが、その終了段階においては、本実施例の先羽根用駆動部材２の場合に準じて、停止させられる。更に、セット作動は、上記の第１実施例の場合に準じて行なわれることになる。尚、本実施例においては、突起部１４ｅが駆動ピン２ｂに直接押されるようにしているが、長孔１ｂの側端面に抑止される構成になってさえいれば、駆動ピン２ｂによって直接押されるようにする必要はない。
【００３１】
［第３実施例］
次に、図１１〜図１５を用いて第３実施例を説明する。本実施例の場合も、第１実施例における緩衝部材４，５の形状が異なっていて、シャッタ地板１には抑止部１ｆ，１ｇが設けられておらず、新たに孔１ｊが形成されているだけであり、その他の構成は第１実施例の場合と同じである。また、本実施例の場合も、長孔１ｂに取り付けられている緩衝部材と、長孔１ｃに取り付けられている緩衝部材とは同じ形状をしている。そこで、それらの相違する構成以外は、図１に示された構成が本実施例にも適用されているものとして、長孔１ｂに取り付けられている緩衝部材２４を中心にして説明することにする。
【００３２】
図１１及び図１５から分かるように、長孔１ｂの上端部に取り付けられている本実施例の緩衝部材２４は、ブチルゴムなどの弾性材料からなり、当接部２４ａと被押動部２４ｂを有しており、その被駆動部材２４ｂの一部には、シャッタ地板面に略垂直な二つの突起部２４ｅ，２４ｆを設けていて、突起部２４ｅを長孔１ｂに挿入し、突起部２４ｆを孔１ｊに挿入している。また、常態においては、突起部２４ｅは、長孔１ｂの側端面に接触しておらず、駆動ピン２ｂの作動軌跡内に臨んでおり、突起部２４ｆは、孔１ｊの縁に略接触した状態となっている。また、シャッタ地板１に対する緩衝部材２４の取付け方は、上記の各実施例の場合と同じであって、シャッタ地板１の周縁部１ｂ1の端面に当接部２４ａを接触させ得るようにし、且つ二つのフランジ部２４ｃ，２４ｄによって周縁部１ｂ1を挟んでいる。
【００３３】
次に、本実施例の作動を説明する。露光作動時に、先羽根用駆動部材２が反時計方向へ回転され、先羽根群の５枚の羽根が、開口部１ａを全開にした段階になると、先羽根用駆動部材２の駆動ピン２ｂが、緩衝部材２４の突起部２４ｅを、自己の作動軌跡外に向けて押すことになるが、図１１は、駆動ピン２ｂがその突起部２４ｅに接触した瞬間を示したものである。駆動ピン２ｂは、この状態から突起部２４ｅを押すことになるが、そのとき、緩衝部材２４の材質にバラツキがあったり、緩衝部材２４の取付けや被押動部２４ｂの形状にバラツキがあると、被押動部２４ｂを所期の方向とは異なる方向へ変形させる力が作用してしまうことがあるが、本実施例の場合には、そのような力が作用したとしても、突起部２４ｆが孔１ｊの縁に接触して、そのような変形を規制されるようにしているので、被押動部２４ｂは、所期の曲げ変形をさせられながら駆動ピン２ｂに制動力を与えてゆく。そして、その後、突起部２４ｅが、長孔１ｂの側端面に接触した状態が図１２に示された状態である。
【００３４】
この状態になっても、駆動ピン２ｂは、なお突起部２４ｅを押し続けているため、それ以後は、突起部２４ｅが圧縮変形させられながら駆動ピン２ｂに制動力を与えてゆく。その状態が図１３に示されている。そして、被押動部２４ｂは、突起部２４ｅと駆動ピン２ｂとの接触が解かれると、自己の弾性によって突起部２４ｅを駆動ピン２ｂの作動軌跡内に臨ませる。その後、駆動ピン２ｂは、当接部２４ａに当接するが、このとき、バウンドが生じたとしても、突起部２４ｅによって、そのバウンドが阻止される。そして、先羽根用駆動部材２の完全に停止した状態が、図１４に示された状態である。他方、先羽根用駆動部材２が露光作動を開始した後に、後羽根用駆動部材３も露光作動を開始するが、その終了段階においては、先羽根用駆動部材２の場合に準じて停止させられる。更に、セット作動は、上記の第１実施例の場合に準じて行なわれることになる。
【００３５】
尚、上記の各実施例においては、長孔１ｂに取り付けられている緩衝部材と、長孔１ｃに取り付けられている緩衝部材とが、同じ形状である場合で説明したが、本発明は、別々の形状の緩衝部材を取り付けてもよいし、その場合に、一方の緩衝部材を、公知の形状の緩衝部材にすることを妨げるものではない。
【００３６】
【発明の効果】
以上のように、本発明によれば、緩衝部材が、露光作動の終了段階において、曲げ変形と圧縮変形の２段階で連続的に制動するようにしたから、従来よりも制動力が向上し、しかも、従来のように駆動部材の駆動ピンが当接したときの衝撃を吸収し、且つバウンドを抑止することも可能であるから、駆動部材を好適に停止させることが可能となる。
【図面の簡単な説明】
【図１】被写体側から視た第１実施例の平面図であって、セット状態を示したものである。
【図２】図１の要部を拡大して示した平面図であって、露光作動の終了段階において、先羽根用駆動部材の駆動ピンが緩衝部材の被押動部に接触した瞬間を示したものである。
【図３】図２と同じようにして示した平面図であって、図２の状態から駆動ピンが緩衝部材の被押動部に曲げ変形をさせ終わった状態を示したものである。
【図４】図２と同じようにして示した平面図であって、図３の状態の後、駆動ピンが緩衝部材の被押動部を圧縮変形させている状態を示したものである。
【図５】図２と同じようにして示した平面図であって、図４の状態の後、駆動ピンが緩衝部材の当接部に当接して、先羽根用駆動部材が停止した状態を示したものである。
【図６】第２実施例の要部を、図２と同じようにして示した平面図であって、露光作動の終了段階において、先羽根用駆動部材の駆動ピンが、緩衝部材の被押動部に設けられた突起部に接触した瞬間を示したものである。
【図７】図６と同じようにして示した平面図であって、図６の状態から駆動ピンが緩衝部材の被押動部に曲げ変形をさせ終わった状態を示したものである。
【図８】図６と同じようにして示した平面図であって、図７の状態の後、駆動ピンが、緩衝部材の被押動部に設けられた突起部を、圧縮変形させている状態を示したものである。
【図９】図６と同じようにして示した平面図であって、図８の状態の後、駆動ピンが緩衝部材の当接部に当接して、先羽根用駆動部材が停止した状態を示したものである。
【図１０】第２実施例における緩衝部材の斜視図である。
【図１１】第３実施例の要部を、図２と同じようにして示した平面図であって、露光作動の終了段階において、先羽根用駆動部材の駆動ピンが、緩衝部材の被押動部に設けられた突起部に接触した瞬間を示したものである。
【図１２】図１１と同じようにして示した平面図であって、図１１の状態から駆動ピンが緩衝部材の被押動部に曲げ変形をさせ終わった状態を示したものである。
【図１３】図１１と同じようにして示した平面図であって、図１２の状態の後、駆動ピンが、緩衝部材の被押動部に設けられた突起部を、圧縮変形させている状態を示したものである。
【図１４】図１１と同じようにして示した平面図であって、図１３の状態の後、駆動ピンが緩衝部材の当接部に当接して、先羽根用駆動部材が停止した状態を示したものである。
【図１５】第３実施例における緩衝部材の斜視図である。
【符号の説明】
１                      シャッタ地板
１ａ                    開口部
１ｂ，１ｃ              長孔
１ｂ1               周縁部
１ｂ2                   肩部
１ｄ，１ｅ，１ｈ，１ｉ  軸
１ｆ，１ｇ              抑止部
１ｊ                    孔
２                      先羽根用駆動部材
２ａ，３ａ，４ｂ，５ｂ，１４ｂ，２４ｂ  被押動部
２ｂ，３ｂ              駆動ピン
３                      後羽根用駆動部材
４，５，１４，２４      緩衝部材
４ａ，５ａ，１４ａ，２４ａ  当接部
４ｃ，４ｄ，１４ｃ，１４ｄ，２４ｃ，２４ｄ  フランジ部
６，７                  アーム
８，９，１０，１１，１２  羽根
１４ｅ，２４ｅ，２４ｆ    突起部
【図１】
0004334088.tif 000002
【図２】
0004334088.tif 000003
【図３】
0004334088.tif 000004
【図４】
0004334088.tif 000005
【図５】
0004334088.tif 000006
【図６】
0004334088.tif 000007
【図７】
0004334088.tif 000008
【図８】
0004334088.tif 000009
【図９】
0004334088.tif 000010
【図１０】
0004334088.tif 000011
【図１１】
0004334088.tif 000012
【図１２】
0004334088.tif 000013
【図１３】
0004334088.tif 000014
【図１４】
0004334088.tif 000015
【図１５】
0004334088.tif 000016